(57)【要約】  トルク伝達装置は、出力の複数の歯と噛み合う複数のローラーを含むピニオンを有する。各ローラーは、回転軸受要素を有する軸受に支持されている。複数のローラーと複数の歯との間に干渉が生じないように、各ローラーの直径と、そのローラーに対応する回転軸受要素の内接円の直径との間の径差に対するクリアランスが、出力の複数の歯によって補正される。
2021523323.tif 000002
【特許請求の範囲】
【請求項１】
複数の歯を有する出力と、
前記出力の前記複数の歯と噛み合う複数のローラーを有するピニオンと、を備え、
各ローラーは、回転軸受要素を有する軸受に支持され、各々の軸受には、前記ローラーと前記回転軸受要素との間にクリアランスがあり、前記クリアランスがゆえ、少なくとも１つのローラーと前記出力の前記複数の歯のうちの少なくとも１本との間に干渉が生じ、前記出力の前記複数の歯は、各ローラーの直径と、そのローラーに対応する回転軸受要素の内接円の直径との径差に等しいクリアランス補正を含む、トルク伝達装置。
【請求項２】
前記複数のローラーはトロコイド運動で移動し、クリアランス補正を提供するトロコイドに対するパラメトリック方程式が次のように与えられ、
【数１】
2021523323.tif 000007
【数２】
2021523323.tif 000008
式中、Ｘは水平軸上のトロコイドの値であり、Ｙは垂直ｙ軸上の前記トロコイドの前記値であり、Ｒは円の半径であり、θは前記円が回転する角度であり、ＰＣＤは、ずれた軌線と前記円の中心との間の距離であり、ｄはローラーの直径であり、ｃは前記クリアランス補正である、請求項１に記載の装置。
【請求項３】
前記複数の歯は、ラックまたはギアで規定される、請求項１に記載の装置。
【請求項４】
前記軸受は、ニードル軸受である、請求項１に記載の装置。
【請求項５】
複数の歯を有するラックを準備し、
前記ラックの前記複数の歯と噛み合う複数のローラーを有するピニオンを準備し、
各ローラーを回転可能に支持し、回転軸受要素を有する軸受であって、少なくとも１つのローラーと前記ラックの前記複数の歯のうちの少なくとも１本との間に干渉を引き起こす寸法クリアランスが前記ローラーと前記回転軸受要素との間にある、前記軸受を準備することを含む、トルク伝達装置の寸法クリアランスを補正する方法であって、
前記ピニオンの前記複数のローラーと前記複数のローラーの前記軸受との間のクリアランス補正を提供することを含み、
前記クリアランス補正が、各ローラーの直径と、そのローラーに対応する回転軸受要素の内接円の直径との径差に基づくものである、方法。
【請求項６】
前記複数のローラーはトロコイド運動で移動し、クリアランス補正を提供するトロコイドに対するパラメトリック方程式が次のように与えられ、
【数３】
2021523323.tif 000009
【数４】
2021523323.tif 000010
式中、Ｘは水平軸上のトロコイドの値であり、Ｙは垂直ｙ軸上の前記トロコイドの値であり、Ｒは円の半径であり、θは前記円が回転する角度であり、ＰＣＤは、ずれた軌線と前記円の中心との間の距離であり、ｄはローラーの直径であり、ｃは前記クリアランス補正である、請求項５に記載の方法。
【請求項７】
前記軸受はニードル軸受である、請求項５に記載の方法。
【発明の詳細な説明】
【技術分野】
【０００１】
本発明は、回転から直線へのトルク伝達装置に関し、特に、各々が軸受に支持されて出力の複数の歯と噛み合う複数のローラーを含むピニオンを有し、歯に軸受の半径方向のクリアランスを補正する特徴がある、リニアトルク伝達装置に関する。
【背景技術】
【０００２】
回転運動とトルクを直線運動に変換するための伝達装置の進歩が、近年、産業用オートメーションの市場で成功をおさめている。例えば、米国特許第６，０２３，９８９号には、回転する動きと直線方向の動きとの間でトルクを変換するための伝達装置が開示されている。特に、そこに開示されている伝達装置は、複数の歯を有するラックと、ラックの歯と噛み合うローラーを有するピニオンとを含む。産業用オートメーションの市場では、それぞれの機械で用いる、より精度の高い製品が常に求められている。このため、運動精度を高めた回転から直線へのトルク伝達装置に需要がある。
【発明の概要】
【課題を解決するための手段】
【０００３】
本発明の一態様において、トルク伝達装置は、出力の複数の歯と噛み合う複数のローラーを有するピニオンを含む。各ローラーは、回転軸受要素を有する軸受に支持されている。各々の軸受には、ローラーと回転軸受要素との間にクリアランスがあり、このクリアランスがゆえ、少なくとも１つのローラーと出力の歯のうちの少なくとも１本との間に干渉が生じることがある。出力の歯は、各ローラーの直径と、そのローラーに対応する回転軸受要素の内接円の直径との間の径差に等しいクリアランス補正を含むため、干渉の機会が排除される。
【０００４】
本発明の別の態様において、トルク伝達装置の寸法クリアランスを補正する方法は、複数の歯を有するラックと、ラックの歯と噛み合う複数のローラーを有するピニオンとを準備することを含む。また、この方法は、各ローラーを回転可能に支持するための軸受を準備することを含み、各軸受は回転軸受要素を有し、各軸受には、補正されなければ少なくとも１つのローラーとラックの少なくとも１本の歯との間に干渉を生む可能性のある寸法クリアランスがある。さらに、本方法は、複数のローラーと軸受との間のクリアランス補正を提供することを含み、クリアランス補正が、各ローラーの直径と、そのローラーに対応する回転軸受要素の内接円の直径との間の径差に基づいて決定され、ラックの歯に適用される。
【０００５】
図面に関連して説明される以下の詳細な説明に照らして、例示的な実施形態が明らかになるであろう。
【図面の簡単な説明】
【０００６】
例示的な実施形態は、添付の図面を参照して説明することで、最も良く説明することができる。
【０００７】
【図１】図１は、複数の歯を有するラックと、ローラーがラックの歯と噛み合うように設けられたピニオンとを含む従来のトルク伝達装置の部分図を示す。
【図２】図２は、図１の枠で囲った部分Ｅの拡大図であり、従来のトルク伝達装置の技術のモデルを示す。
【図３】図３は、ローラーとローラーを支持する軸受との間のクリアランスＣと、従来のトルク伝達装置におけるクリアランスの補正不足により生じる干渉Ａを示す図である。
【図４】図４は、ピニオンの回転運動を、不要な干渉を生じることなく正確にラックの直線運動に伝達する歯４Ａの一形態を示す。
【図５】図５は、クリアランス補正を含むパラメトリック方程式における用語に対する参照符号とともに、図４の歯４Ａの一形態を示す図である。
【図６】図６は、クリアランス補正前後の本発明によるトルク伝達装置の位置と誤差との関係を示すチャートである。
【０００８】
図面はいずれも本発明の基本的な教示内容の説明を容易にするだけの目的で描かれており、例示的な実施形態を形成するための部品の数、位置、関係および寸法に関して図をどこまで拡張できるかについては、説明がなされるか、以下の説明を読んで理解すれば当業者の技能の範囲内にあるであろう。さらに、特定の力、重量、強度および同様の要件に合わせるための正確な寸法および寸法比も同様に、以下の説明を読んで理解すれば当業者の技能の範囲内にあるであろう。
【発明を実施するための形態】
【０００９】
図１を参照すると、トルク伝達装置１は、複数の歯４を有するラック５とピニオン７とを備え、ピニオン７には、ラック５の歯４に噛み合ってピニオン７を入力軸２と一緒に回転させるローラー６が設けられている。ピニオン７の回転する動きに伴って、ラック５が滑るように駆動される。これに関して、米国特許第６，０２３，９８９号の開示内容を本明細書に援用し、本明細書でも同じ参照符号を用いる。
【００１０】
図２を参照すると、米国特許第６，０２３，９８９号に記載されているような従来のトルク伝達装置の技術のモデルの概略図が示されている。特に、図２に示すように、ローラー６は、対応する軸受１０と、トルク伝達装置１の歯４の表面に対して位置Ｔで接する１箇所の接点によって、完全に支持されている。
【００１１】
米国特許第６，０２３，９８９号に記載されているようなトルク伝達装置では、ローラー６すなわち転動体は、歯が基本的に以下に示すパラメトリック方程式で表される軌跡を描くトロコイド運動で移動することが知られている。
【００１２】
【数１】
2021523323.tif 000003
【００１３】
【数２】
2021523323.tif 000004
【００１４】
式中、Ｘは水平x軸上のトロコイドの値であり、Ｙは垂直y軸上のトロコイドの値であり、Ｒはピニオンがトロコイド運動で転がる円の半径であり、θは円が回転する角度であり、ＰＣＤは、ずれた軌線と円の中心との間の距離であり、ｄはローラー６の半径である。
【００１５】
本願の発明者らは、軸受１０の大きさが異なると軸受１０によって作られる内接円とローラー６との間に生じるクリアランスも変わり、予測数学モデルでは説明がつかない様々な不正確さが生じることを見いだした。これに基づいて、本願の発明者らは、誤差には別の未知の原因があることを見出した。図３を参照すると、ローラー６（図示の目的で、ローラー６Ａ、６Ｂ、６Ｃが示されている）は、何らかのタイプの軸受１０、最も一般的にはニードル軸受１０によって支持されている。これらの軸受１０には、機械加工公差および部品公差を補正し、軸受を製造業者が推奨するとおりに動作させるために、ある程度のクリアランスがなければならない。このクリアランスがゆえ、ローラー６が、従来のすべての数学モデルで中心位置であると仮定される転動直径の厳密な中心から外れてしまう。しかしながら、２つのローラー（すなわち、ローラー６Ａおよび６Ｂ）がずれると、それが原因で中央のローラー６Ｃが歯４の歯元に接触する。この接触により、クリアランスＣと干渉領域Ａが生じ、精度の誤差が引き起こされる。このように、図２に関連して説明したモデルでは、支持軸受１０によって作られる内接円とローラー６との間のクリアランスが補正されていない。
【００１６】
本発明では、ローラー６と支持軸受１０との間のクリアランスを補正する。本発明によれば、パラメトリック方程式にクリアランス成分が追加される。
【００１７】
【数３】
2021523323.tif 000005
【００１８】
【数４】
2021523323.tif 000006
【００１９】
式中、Ｘは水平軸上のトロコイドの値であり、Ｙは垂直y軸上のトロコイドの値であり、Ｒは円の半径であり、θは円が回転する角度であり、ＰＣＤは、ずれた軌線と円の中心との間の距離であり、ｄはローラーの大きさであり、ｃはクリアランス補正である。本発明によれば、クリアランス補正は、ローラー６の直径１２とニードル軸受１０におけるニードルローラー１６などの回転軸受部材の内接円の直径１４との径差である。
【００２０】
図４および図５を参照すると、この数学モデルを用いることにより、歯４Ａの歯元Ｂでの不必要な干渉を生じることなくピニオン（すなわち、ローラー６および軸受１０）の回転運動をラック５での直線運動に正確に伝達する形の歯４Ａが提供される。
【００２１】
図６は、このようなローラー補正がある場合とない場合のトルク伝達装置Ｌの位置と誤差との関係を示すチャートである。図５から、補正前ＢＣと補正後ＡＣとの間で、トルク伝達装置１の精度が大幅に改善されることが分かる。
【００２２】
このように、本明細書に開示された本発明は、その意図または主な特徴から逸脱することなく他の特定の形態で具現化することができるものであり、そのうちのいくつかの形態を示してあるため、本明細書に記載の実施形態は、あらゆる点で例示的であって限定的ではないと考えられるべきである。本発明の範囲は、上記の説明によってではなく、添付の特許請求の範囲によって示されるべきであり、特許請求の範囲の意味および等価物の範囲内のすべての変更は、そこに包含されることが意図されている。
【図１】
2021523323.tif 000011
【図２】
2021523323.tif 000012
【図３】
2021523323.tif 000013
【図４】
2021523323.tif 000014
【図５】
2021523323.tif 000015
【図６】
2021523323.tif 000016
【国際調査報告】
2021523323.tif 000017
2021523323.tif 000018